(57)【要約】【課題】筐体部と表示部との位置関係が変更された場合に表示部へのタッチ操作の操作性を、より向上させることを目的とする。【解決手段】本発明の電子機器は、筐体部に対する表示部の位置関係が第１の位置関係である場合には、特定のアイコンを表示するとともに、特定のアイコンと少なくとも一部が重複する第１の範囲に前記特定のアイコンに対するタッチ反応領域を設定し、筐体部に対する前記表示部の位置関係が第２の位置関係である場合には、特定のアイコンを表示部のうち筐体部に近い側の領域に表示するとともに、特定のアイコンと少なくとも一部が重複する、第１の範囲よりも筐体部と反対側に広い第２の範囲に特定のアイコンに対するタッチ反応領域を設定するように制御する制御手段と、タッチ反応領域に対するタッチ操作があったことに応じて特定のアイコンに対応する機能を実行する実行手段と、を有する。【選択図】図４
2020161869.tif 000002
【特許請求の範囲】
【請求項１】
筐体部に対する位置関係を変更可能な表示部へのタッチ操作を検知するタッチ検知手段と、
前記筐体部に対する前記表示部の位置関係が第１の位置関係である場合には、特定のアイコンを表示するとともに、前記特定のアイコンと少なくとも一部が重複する第１の範囲に前記特定のアイコンに対するタッチ反応領域を設定し、
前記筐体部に対する前記表示部の位置関係が第２の位置関係である場合には、前記特定のアイコンを前記表示部のうち前記筐体部に近い側の領域に表示するとともに、前記特定のアイコンと少なくとも一部が重複する、前記第１の範囲よりも前記筐体部と反対側に広い第２の範囲に前記特定のアイコンに対するタッチ反応領域を設定するように制御する制御手段と、
前記タッチ反応領域に対するタッチ操作があったことに応じて前記特定のアイコンに対応する機能を実行する実行手段と、
を有することを特徴とする電子機器。
【請求項２】
前記制御手段は、
前記表示部に画像を表示するとともに、該画像に重畳して前記特定のアイコンを表示するように制御し、
前記実行手段は、
前記タッチ反応領域に隣接した領域であって、何れのアイコンのタッチ反応領域でもない位置指定領域に対するタッチ操作に応じて、画像上におけるタッチされた位置に対応する特定の処理を行うことを特徴とする請求項１に記載の電子機器。
【請求項３】
前記画像は、
撮像手段で撮像されているライブビュー画像であり、
前記特定の処理は、
前記ライブビュー画像のうちタッチされた位置に応じた焦点調整領域の設定であることを特徴とする請求項２に記載の電子機器。
【請求項４】
前記制御手段は、
前記第２の位置関係の場合には、前記ライブビュー画像を前記第１の位置関係の場合と比べてユーザから見てミラー反転した向きで表示し、前記特定のアイコンを前記第１の位置関係の場合と比べてユーザから見て同じ位置に同じ向きで表示するように制御することを特徴とする請求項３に記載の電子機器。
【請求項５】
前記制御手段は、
前記第２の位置関係の場合には、前記ライブビュー画像を前記第１の位置関係の場合と比べて上下反転して表示し、前記特定のアイコンを前記第１の位置関係の場合と比べて１８０度回転して表示するように制御することを特徴とする請求項３または４に記載の電子機器。
【請求項６】
前記制御手段は、
前記位置指定領域に対するタッチ操作に応じて、前記特定のアイコンを非表示とするとともに、前記第２の範囲への前記特定のアイコンに対する反応領域の設定を解除し、前記第２の範囲と少なくとも一部が重複する範囲を前記位置指定領域に設定するように制御することを特徴とする請求項３ないし５の何れか１項に記載の電子機器。
【請求項７】
前記表示部には複数のアイコンが表示され、
前記制御手段は、
前記複数のアイコンのうち、アイコンの表示範囲から所定範囲内に他のアイコンが表示されていない第１の位置のアイコンを前記特定のアイコンとし、該第１の位置のアイコンについては、前記第１の位置関係である場合のタッチ反応領域よりも第２の位置関係である場合のタッチ反応領域の方が前記筐体部と反対側に広くなるように前記第１の位置のアイコンのタッチ反応領域を設定し、
前記複数のアイコンのうち、アイコンの表示範囲から所定範囲内に他のアイコンが表示されている第２の位置のアイコンについては、第１の位置関係である場合のタッチ反応領域と第２の位置関係である場合のタッチ反応領域の、前記筐体部と反対側への広さが変わらないように前記第２の位置のアイコンのタッチ反応領域を設定するように制御することを特徴とする請求項１ないし６の何れか１項に記載の電子機器。
【請求項８】
前記制御手段は、
前記複数のアイコンのうち、アイコンの表示範囲から前記筐体部と反対側の方向または近い側の方向の第１の距離内に他のアイコンが表示されていないアイコンを、前記特定のアイコンとするように制御することを特徴とする請求項７に記載の電子機器。
【請求項９】
前記制御手段は、
前記複数のアイコンのうち、アイコンの表示範囲から前記筐体部と反対側の方向および近い側の方向に対して直交する方向の第１の距離内に他のアイコンが表示されていたとしても、アイコンの表示範囲から前記筐体部と反対側の方向または近い側の方向の第１の距離内に他のアイコンが表示されていないアイコンを、前記特定のアイコンとするように制御することを特徴とする請求項７または８に記載の電子機器。
【請求項１０】
前記制御手段は、
前記筐体部に対する前記表示部の位置関係が第２の位置関係である場合に表示される前記複数のアイコンのうち、アイコンの表示範囲から前記筐体部の近い側の方向の第２の距離内に前記表示部の端部が位置するアイコンを、前記特定のアイコンとするように制御することを特徴とする請求項８または９に記載の電子機器。
【請求項１１】
前記表示部は、
前記筐体部に対して回転軸を介して回転することで位置関係を変更可能であって、
前記筐体部と反対側の方向または近い側の方向は、前記回転軸の軸方向に対して直交する方向であることを特徴とする請求項８ないし１０の何れか１項に記載の電子機器。
【請求項１２】
前記制御手段は、
第１の動作モードの場合には前記第１の位置に第１のアイコンを表示し、
第２の動作モードの場合には前記第１の位置に前記第１のアイコンを表示することなく第２のアイコンを表示するように制御することを特徴とする請求項７ないし１１の何れか１項に記載の電子機器。
【請求項１３】
前記第１の動作モードは、
シャッター速度をユーザが設定し、絞りは設定されたシャッター速度に応じて自動的に決定されるシャッター速度優先モードであり、
前記第２の動作モードは、
絞りの設定値をユーザが設定し、シャッター速度は設定された絞りの設定値に応じて自動的に決定される絞り優先モードであり、
前記第１のアイコンは、
シャッター速度の変更指示を受け付けるためのアイコンであり、
前記第２のアイコンは、
絞りの設定値の変更指示を受け付けるためのアイコンである
ことを特徴とする請求項１２に記載の電子機器。
【請求項１４】
筐体部に対する位置関係を変更可能な表示部へのタッチ操作を検知するタッチ検知ステップと、
前記筐体部に対する前記表示部の位置関係が第１の位置関係である場合には、特定のアイコンを表示するとともに、前記特定のアイコンと少なくとも一部が重複する第１の範囲に前記特定のアイコンに対するタッチ反応領域を設定し、
前記筐体部に対する前記表示部の位置関係が第２の位置関係である場合には、前記特定のアイコンを前記表示部のうち前記筐体部に近い側の領域に表示するとともに、前記特定のアイコンと少なくとも一部が重複する、前記第１の範囲よりも前記筐体部と反対側に広い第２の範囲に前記特定のアイコンに対するタッチ反応領域を設定するように制御する制御ステップと、
前記タッチ反応領域に対するタッチ操作があったことに応じて前記特定のアイコンに対応する機能を実行する実行ステップと、
を有することを特徴とする電子機器の制御方法。
【請求項１５】
コンピュータを、請求項１ないし１３の何れか１項に記載された電子機器の各手段として機能させるためのプログラム。
【請求項１６】
コンピュータを、請求項１ないし１３の何れか１項に記載された電子機器の各手段として機能させるためのプログラムを格納したコンピュータが読み取り可能な記録媒体。
【発明の詳細な説明】
【技術分野】
【０００１】
本発明は、可動式タッチパネルディスプレイを搭載した電子機器、その制御方法、プログラムおよび記録媒体に関するものである。
【背景技術】
【０００２】
従来から、バリアングルディスプレイやチルトディスプレイのような可動式ディスプレイを備えた装置が知られている。
特許文献１には、ユーザが自分撮りをするためにディスプレイを自分の方に回転させ、タッチパネルに表示された表示アイテムやライブビュー画面をタッチすることで、様々な設定をしたり撮影をしたりすることができる撮像装置が開示されている。
特許文献２には、本体部に対する可動式ディスプレイの位置関係に応じて、ユーザがタッチ操作をし易い位置にタッチされるオブジェクトが表示されるように、オブジェクト間の位置関係を異ならせて表示する撮像装置が開示されている。
【先行技術文献】
【特許文献】
【０００３】
【特許文献１】特開２０１７−５３１２号公報
【特許文献２】特開２０１４−２２８５０号公報
【発明の概要】
【発明が解決しようとする課題】
【０００４】
可動式ディスプレイと筐体部の位置関係によっては、可動式ディスプレイの表示面にタッチするときに筐体部と干渉してしまい操作性がよくない場合がある。例えば、デジタルカメラにおいて背面に備えられた可動式ディスプレイの表示面を撮影者側に向く対面位置にした場合、撮影者側からは、デジタルカメラ本体が邪魔になりディスプレイのうちデジタルカメラ本体に近い位置はタッチしにくいという問題がある。
上述した特許文献１および特許文献２には、筐体部が邪魔になり可動式ディスプレイの表示面にタッチしにくいという問題について考慮されていない。
【０００５】
本発明は、上述したような問題点に鑑みてなされたものであり、筐体部と表示部との位置関係が変更された場合に表示部へのタッチ操作の操作性を、より向上させることを目的とする。
【課題を解決するための手段】
【０００６】
本発明の電子機器は、筐体部に対する位置関係を変更可能な表示部へのタッチ操作を検知するタッチ検知手段と、前記筐体部に対する前記表示部の位置関係が第１の位置関係である場合には、特定のアイコンを表示するとともに、前記特定のアイコンと少なくとも一部が重複する第１の範囲に前記特定のアイコンに対するタッチ反応領域を設定し、前記筐体部に対する前記表示部の位置関係が第２の位置関係である場合には、前記特定のアイコンを前記表示部のうち前記筐体部に近い側の領域に表示するとともに、前記特定のアイコンと少なくとも一部が重複する、前記第１の範囲よりも前記筐体部と反対側に広い第２の範囲に前記特定のアイコンに対するタッチ反応領域を設定するように制御する制御手段と、前記タッチ反応領域に対するタッチ操作があったことに応じて前記特定のアイコンに対応する機能を実行する実行手段と、を有することを特徴とする。
【発明の効果】
【０００７】
本発明によれば、筐体部と表示部との位置関係が変更された場合に表示部へのタッチ操作の操作性を、より向上させることができる。
【図面の簡単な説明】
【０００８】
【図１】カメラを背面から見た外観構成の一例を示す図である。
【図２】カメラを側方から見た構成の一例を示す図である。
【図３】カメラの内部構成の一例を示す図である。
【図４】カメラの処理の一例を示すフローチャートである。
【図５】表示部が通常位置である場合の撮影待機画面の一例を示す図である。
【図６】表示部が対面位置である場合の撮影待機画面の一例を示す図である。
【図７】ＩＳＯ感度を設定する画面の一例を示す図である。
【図８】焦点調整を行う位置を設定する画面の一例を示す図である。
【発明を実施するための形態】
【０００９】
以下、図面を参照して本発明の好適な実施形態について説明する。本実施形態では、電子機器がデジタルカメラ（撮像装置）である場合を例にして説明する。
図１は、デジタルカメラ１００（以下、カメラ１００という）を背面側から見た外観構成の一例を示す図である。
【００１０】
カメラ１００は、モニタ部１０１と、本体部１０２とを備える。
モニタ部１０１は、画像や各種情報が表示される表示部１０３を有する。モニタ部１０１は、本体部１０２の筐体部１０４に対して位置関係が変更可能である。具体的に、モニタ部１０１は矩形の上側の一辺を回転軸としてヒンジ部１０５を介して回転する。
【００１１】
図２は、カメラ１００を側方から見た構成の一例を示す図である。ここで、モニタ部１０１が筐体部１０４に対して回転したときの位置関係について図２を参照して説明する。
モニタ部１０１は、筐体部１０４に対して状態Ｋ１から状態Ｋ２を経由して状態Ｋ３までに亘って回転できる。
状態Ｋ１は、モニタ部１０１が本体部１０２に収容されている状態（回転角度０度）を示している。状態Ｋ１では、表示部１０３の表示面が本体部１０２と対向せず、被写体側と反対側（カメラ背面側）を向いた状態である。すなわち、状態Ｋ１では、撮影方向と表示部１０３の表示方向とが異なり、背面側のユーザからは表示部１０３の表示面を視認可能であるが、撮影方向にいる被写体側からは表示部１０３の表示面を確認することができない状態である。状態Ｋ１に示す位置関係を、通常位置と称する。状態Ｋ１に示す位置関係は、第１の位置関係の一例に対応する。
状態Ｋ２は、モニタ部１０１を状態Ｋ１から図２に示す矢印方向に９０度回転した状態を示している。
【００１２】
状態Ｋ３は、モニタ部１０１を状態Ｋ１から１８０度回転した状態を示している。状態Ｋ３では、表示部１０３の表示面が被写体側を向いた状態である。すなわち、状態Ｋ３では、撮影方向と表示部１０３の表示方向とが同じであり、撮影方向にいる被写体側から表示部１０３の表示面を視認可能であるが、背面側からは表示部１０３の表示面を確認することができない状態である。また、状態Ｋ３では、表示部１０３の表示面よりも被写体側に、少なくとも筐体部１０４の一部が位置していることから、表示部１０３のうち筐体部１０４付近では、筐体部１０４と干渉してしまい、タッチ操作しにくい状態である。状態Ｋ３に示す位置関係を、対面位置または反転位置と称する。状態Ｋ３に示す位置関係は、第２の位置関係の一例に対応する。
このように、モニタ部１０１は、本体部１０２に対して回転角度０度から１８０度（あるいは１８０度以上）の範囲で回転可能である。なお、図２に示す矢印方向を回転の正方向として説明する。
【００１３】
図１に戻り、カメラ１００の構成について説明する。
シャッターボタン１０６は、ユーザが撮影指示を行うための操作部である。モード切替スイッチ１０７は、各種モードを切替えるための操作部である。コネクタ１０８は、外部機器と接続するための接続ケーブル１０９を繋げるための接続部である。
【００１４】
操作部１１０は、ユーザからの各種操作を受け付ける。操作部１１０には、各種スイッチ、ボタン、コントローラホイール１１１、タッチパネル１１２等の操作部材が含まれる。
電源スイッチ１１３は、電源オン、電源オフを切替えるためのスイッチである。
記録媒体２００は、メモリカードやハードディスク等である。記録媒体スロット１１４は記録媒体２００を収容する。記録媒体スロット１１４に収容された記録媒体２００は、カメラ１００との間で通信が可能であり、撮影した画像を記録したり、画像を再生したりすることが可能となる。記録媒体スロット１１４は蓋１１５によって閉塞される。図１では、蓋１１５を開けて記録媒体スロット１１４から記録媒体２００を取り出して、一部を露出させた状態を示している。
【００１５】
図３は、カメラ１００の内部構成の一例を示す図である。なお、図１と同一の構成は、同一符号を付して、説明を適宜、省略する。
撮影レンズ３００は、ズームレンズ、フォーカスレンズを含むレンズ群である。シャッター３０１は絞り機構を備える。撮像部３０２は、光学像を電気信号に変換するＣＣＤやＣＭＯＳ素子等で構成される撮像素子である。撮像部３０２は撮像手段の一例に対応する。Ａ／Ｄ変換器３０３は、撮像部３０２から出力されるアナログ信号をデジタル信号に変換する。バリア３０４は、カメラ１００の撮影レンズ３００を含む撮像系を覆うことにより、撮影レンズ３００、シャッター３０１、撮像部３０２を含む撮像系の汚れや破損を防止する。
【００１６】
画像処理部３０５は、システム制御部５０による制御に基づいて各種の画像処理を行う。すなわち、画像処理部３０５は、Ａ／Ｄ変換器３０３からの画像データまたはメモリ制御部３０６からの画像データに対し所定の画素補間、縮小といったリサイズ処理や色変換処理を行う。また、画像処理部３０５は、撮影された画像データを用いて所定の演算処理が行い、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理が行われる。更に、画像処理部３０５は、撮影された画像データを用いて所定の演算処理を行い、得られた演算結果に基づいてＴＴＬ方式のＡＷＢ（オートホワイトバランス）処理を行う。
【００１７】
Ａ／Ｄ変換器３０３からの画像データは、画像処理部３０５およびメモリ制御部３０６を介して、または、メモリ制御部３０６を介してメモリ３０７に直接、書き込まれる。メモリ３０７は、撮像部３０２によって得られＡ／Ｄ変換器３０３によりデジタルデータに変換された画像データや、表示部１０３に表示するための画像データを格納する。メモリ３０７は、所定枚数の静止画像や所定時間の動画像および音声を格納するのに十分な記憶容量を備えている。また、メモリ３０７は画像表示用のメモリ（ビデオメモリ）を兼ねている。
【００１８】
Ｄ／Ａ変換器３０８は、メモリ３０７に格納されている表示用の画像データをアナログ信号に変換して表示部１０３に供給する。したがって、メモリ３０７に書き込まれた表示用の画像データは、Ｄ／Ａ変換器３０８を介して表示部１０３により表示される。表示部１０３は、ＬＣＤ等の表示器上にＤ／Ａ変換器３０８からのアナログ信号に応じた表示を行う。Ａ／Ｄ変換器３０３によって一度Ａ／Ｄ変換されメモリ３０７に蓄積されたデジタル信号をＤ／Ａ変換器３０８においてアナログ変換し、表示部１０３に逐次転送して表示することでライブビュー画像が表示され、電子ビューファインダとして機能する。
【００１９】
不揮発性メモリ３０９は、電気的に消去・記録可能なメモリであり、例えばＥＥＰＲＯＭ等が用いられる。不揮発性メモリ３０９には、システム制御部５０の動作用の定数、プログラム等が格納される。このプログラムは、本実施形態の後述する各種フローチャートを実行するためのプログラムである。
【００２０】
システム制御部５０は、少なくとも１つのプロセッサー（回路も含む）であり、カメラ１００全体を制御する。システム制御部５０は、タッチ検知手段、制御手段および実行手段の一例に対応する。システム制御部５０は不揮発性メモリ３０９に格納されたプログラムを実行することで、後述する本実施形態の各処理を実現する。また、システム制御部５０はメモリ３０７、Ｄ／Ａ変換器３０８、表示部１０３等を制御することにより表示制御も行う。
システムメモリ３１０は、例えばＲＡＭが用いられる。システムメモリ３１０は、システム制御部５０の動作用の定数、変数、不揮発性メモリ３０９から読み出したプログラム等を展開する。システムタイマ３１１は各種制御に用いる時間や、内蔵された時計の時間を計測する計時部である。
【００２１】
モード切替スイッチ１０７、第１シャッタースイッチ３１２、第２シャッタースイッチ３１３、操作部１１０は、システム制御部５０に各種の動作指示を入力するための操作手段である。
モード切替スイッチ１０７は、動作モードを静止画撮影モード、動画撮影モード、再生モード等の何れかに切替える。システム制御部５０は、モード切替スイッチ１０７により切替えられた動作モードを設定する。静止画撮影モードに含まれるモードには、オート撮影モード、オートシーン判別モード、マニュアルモード、撮影シーン別の撮影設定となる各種シーンモード、プログラムＡＥモード、カスタムモード、シャッター速度優先モード、絞り優先モード等がある。ユーザは、モード切替スイッチ１０７により静止画撮影モードに含まれるモードの何れかに直接、切替えられる。あるいは、モード切替スイッチ１０７で静止画撮影モードに一旦、切替えた後に静止画撮影モードに含まれるモードの何れかに、他の操作部材を用いて切替えてもよい。なお、動画撮影モードにも同様に複数のモードが含まれていてもよい。
【００２２】
第１シャッタースイッチ３１２は、シャッターボタン１０６の操作途中、いわゆる半押し（撮影準備指示）でオンとなり第１シャッタースイッチ信号ＳＷ１を発生する。システム制御部５０は、第１シャッタースイッチ信号ＳＷ１により、ＡＦ処理、ＡＥ処理、ＡＷＢ処理等の動作を開始する。
第２シャッタースイッチ３１３は、シャッターボタン１０６の操作完了、いわゆる全押し（撮影指示）でオンとなり、第２シャッタースイッチ信号ＳＷ２を発生する。システム制御部５０は、第２シャッタースイッチ信号ＳＷ２により、撮像部３０２からの信号読み出しから記録媒体２００に画像データを書き込むまでの一連の撮影処理の動作を開始する。
【００２３】
操作部１１０の各操作部材は、表示部１０３に表示される種々の機能アイコンを選択操作すること等により、場面ごとに適宜機能が割り当てられ、各種機能ボタンとして作用する。機能ボタンとしては、例えば、終了ボタン、戻るボタン、画像送りボタン、ジャンプボタン、絞込みボタン、属性変更ボタン等がある。例えば、メニューボタンが押下されると各種の設定可能なメニュー画面が表示部１０３に表示される。ユーザは表示部１０３に表示されたメニュー画面と、上下左右の４方向ボタンやＳＥＴボタンとを用いて直感的に各種設定を行うことができる。
【００２４】
また、操作部１１０には、タッチパネル１１２が含まれる。タッチパネル１１２は、表示部１０３に対する接触を検知可能であって、ユーザによるタッチ操作を検知する。タッチパネル１１２と表示部１０３とは一体的に構成することができる。例えば、光の透過率が表示部１０３の表示を妨げないように、タッチパネル１１２を表示部１０３の表示面の上層に取り付ける。そして、タッチパネル１１２における入力座標と、表示部１０３上の表示座標とを対応付けることで、あたかもユーザが表示部１０３上に表示された画面を直接的に操作可能であるかのようなＧＵＩを構成することができる。タッチパネル１１２には、抵抗膜方式や静電容量方式、表面弾性波方式、赤外線方式、電磁誘導方式、画像認識方式、光センサ方式等の様々な方式のうち何れかの方式を用いることができる。方式によって、タッチパネル１１２に対する接触があったことでタッチがあったと検知する方式や、タッチパネル１１２に対する指やペンの接近があったことでタッチがあったと検知する方式があるが、何れの方式であってもよい。
【００２５】
システム制御部５０は、タッチパネル１１２に対する以下の操作あるいは状態を検知できる。
・タッチパネル１１２にタッチしていなかった指やペンが新たにタッチパネル１１２にタッチしたこと。すなわち、タッチの開始（以下、タッチダウン（Touch-Down）と称する）。
・タッチパネル１１２を指やペンでタッチしている状態であること（以下、タッチオン（Touch-On）と称する）。
・タッチパネル１１２を指やペンでタッチしたまま移動していること（以下、タッチムーブ（Touch-Move）と称する）。
・タッチパネル１１２へタッチしていた指やペンを離したこと。すなわち、タッチの終了（以下、タッチアップ（Touch-Up）と称する）。
・タッチパネル１１２に何もタッチしていない状態（以下、タッチオフ（Touch-Off）と称する）。
【００２６】
タッチダウンが検知されると、同時にタッチオンであることも検知される。タッチダウンの後、タッチアップが検知されない限りは、通常はタッチオンが検知され続ける。タッチムーブが検知されるのもタッチオンが検知されている状態である。タッチオンが検知されていても、タッチ位置が移動していなければタッチムーブは検知されない。タッチしていた全ての指やペンがタッチアップしたことが検知された後は、タッチオフとなる。また、タッチダウンからタッチアップまでの時間が所定時間以下であった場合には、同時にタップであることも検知される。
【００２７】
これらの操作・状態や、タッチパネル１１２上に指やペンがタッチしている位置座標は内部バスを通じてシステム制御部５０に通知される。システム制御部５０は通知された情報に基づいてタッチパネル１１２上にどのような操作（タッチ操作）が行なわれたかを判定する。タッチムーブについてはタッチパネル１１２上で移動する指やペンの移動方向についても、位置座標の変化に基づいて、タッチパネル１１２上の垂直成分・水平成分毎に判定できる。また、タッチパネル１１２上をタッチダウンから一定のタッチムーブを経てタッチアップをしたとき、ストロークを描いたものとする。素早くストロークを描く操作をフリックと称する。フリックは、タッチパネル１１２上に指をタッチしたままある程度の距離だけ素早く動かして、そのまま離すといった操作である。言い換えると、フリックは、タッチパネル１１２上を指ではじくように素早くなぞる操作である。所定距離以上を、所定速度以上でタッチムーブしたことが検知され、そのままタッチアップが検知されるとフリックが行なわれたと判定できる。また、所定距離以上を、所定速度未満でタッチムーブしたことが検知された場合はドラッグが行なわれたと判定できる。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。
【００２８】
電源制御部３１４は、電池検出回路、ＤＣ−ＤＣコンバータ、通電するブロックを切替えるスイッチ回路等により構成され、電池の装着の有無、電池の種類、電池残量の検出を行う。また、電源制御部３１４は、検出結果およびシステム制御部５０の指示に基づいてＤＣ−ＤＣコンバータを制御し、必要な電圧を必要な期間、記録媒体２００を含む各部へ供給する。電源部３１５は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ３１６は、記録媒体２００とのインターフェースである。記録媒体２００は、半導体メモリ、光ディスク、磁気ディスク等から構成される。
【００２９】
通信部３１７は、無線または有線ケーブルによって接続し、画像や音声等の送受信を行う。通信部３１７は無線ＬＡＮやインターネットとも接続可能である。通信部３１７は、撮像部３０２で撮影した画像（ライブビュー画像を含む）や、記録媒体２００に記録された画像を送信可能であり、また、外部機器から画像データやその他の各種情報を受信することができる。
姿勢検知部３１８は、重力方向に対するカメラ１００の姿勢を検知する。姿勢検知部３１８で検知された姿勢に基づいて、撮像部３０２で撮影された画像がカメラ１００を横に構えて撮影された画像であるか、縦に構えて撮影された画像なのかを判別可能である。システム制御部５０は、姿勢検知部３１８で検知された姿勢に応じた向き情報を撮像部３０２で撮影された画像の画像ファイルに付加したり、画像を回転して記録したりすることが可能である。姿勢検知部３１８は、加速度センサやジャイロセンサ等を用いることができる。
【００３０】
回転検知部３１９は、筐体部１０４に対する表示部１０３（モニタ部１０１）の回転角度を検知する。回転検知部３１９は、検知した回転角度の情報をシステム制御部５０に送信する。なお、回転検知部３１９は、モニタ部１０１が図２に示す状態Ｋ１または状態Ｋ３であることを検知して、検知した状態の情報をシステム制御部５０に送信してもよい。
接眼検知部３２０は、ユーザが本体部１０２に接眼したことを検知する。接眼検知部３２０は、検知した情報をシステム制御部５０に送信する。
【００３１】
上述したように構成されるカメラ１００は、筐体部１０４に対する表示部１０３の位置関係に応じて特定のアイテムのタッチ反応領域を変更することで、表示部１０３へのタッチ操作の操作性を向上させる。以下、システム制御部５０による具体的な処理について図４のフローチャートを参照して説明する。
図４のフローチャートは、システム制御部５０が不揮発性メモリ３０９に記録されたプログラムをシステムメモリ３１０に展開して実行することにより実現する。また、図４のフローチャートは、動作モードが静止画撮影モードあるいは動画撮影モードに設定されることで開始される。
【００３２】
Ｓ４０１では、システム制御部５０は、表示部１０３が対面位置であるか否かを判定する。具体的には、システム制御部５０は、回転検知部３１９により検知された表示部１０３の回転角度の情報を受信して、回転角度が１８０度である場合には対面位置であると判定し、０度である場合には通常位置であると判定する。対面位置である場合にはＳ４０７に進み、対面位置ではなく通常位置である場合にはＳ４０２に進む。
【００３３】
Ｓ４０２〜Ｓ４０６の処理は、表示部１０３が通常位置の場合に、撮影待機画面にタッチアイコンおよびライブビュー画像を表示する処理である。
Ｓ４０２では、システム制御部５０は、タッチパネル１１２に通常のタッチＡＦ反応領域を設定する。本実施形態では、ライブビュー画像のうちユーザによりタッチされた位置に応じた焦点調整領域の設定をするために、ユーザからのタッチを受け付けるタッチＡＦ反応領域を設定する。タッチＡＦ反応領域は、位置指定領域の一例に対応する。ここで、通常のタッチＡＦ反応領域とは、表示部１０３が通常位置である場合のタッチＡＦ反応領域である（後述する図５（ｂ）のタッチＡＦ反応領域５０４ａ）。
【００３４】
Ｓ４０３では、システム制御部５０は、タッチアイコンのレイアウトを、通常のレイアウトに設定する。本実施形態では、ユーザがライブビュー画像を確認しながら撮影条件を変更できるようにするために、タッチ操作ができる表示アイテムであるタッチアイコンを表示する。通常のレイアウトとは、表示部１０３が通常位置である場合にタッチアイコンが配置されるレイアウトである（後述する図５のタッチアイコン５０１ａ〜５０１ｅ）。通常のレイアウトでは、表示部１０３が通常位置である場合の表示部１０３の上側に、タッチアイコンの上側が向く方向にタッチアイコンが配置される。
【００３５】
Ｓ４０４では、システム制御部５０は、タッチアイコンのタッチ反応領域を、通常のタッチ反応領域に設定する。タッチ反応領域とは、タッチアイコンの少なくとも一部と重複し、タッチアイコンに対してタッチ操作したことが検知される領域である。通常のタッチ反応領域とは、表示部１０３が通常位置である場合のタッチ反応領域である（後述する図５（ｂ）のタッチ反応領域５０２ａ〜５０２ｅを参照）。
【００３６】
Ｓ４０５では、システム制御部５０は、撮像部３０２により撮影されたライブビュー画像を表示部１０３に表示する。
Ｓ４０６では、システム制御部５０は、Ｓ４０３において設定されたレイアウトに基づいてタッチアイコンを表示部１０３に表示する。
【００３７】
図５は、表示部１０３が通常位置である場合の撮影待機画面の一例を示す図である。
図５（ａ）は、Ｓ４０６の処理が終了した後に表示部１０３に表示される撮影待機画面の一例を示す図である。
図５（ａ）に示す撮影待機画面には、ライブビュー画像５００と、タッチアイコン５０１ａ〜５０１ｅとが表示される。タッチアイコン５０１ａ〜５０１ｅは、ライブビュー画像５００に重畳して表示され、ユーザによりタッチされることで撮影条件等を変更できる。
【００３８】
図５（ａ）に示す撮影待機画面には、設定された通常のレイアウトに基づいてタッチアイコン５０１ａ〜５０１ｅが配置される。タッチアイコン５０１ａ〜５０１ｅは、表示部１０３の下部に近接して配置される。なお、本実施形態では、タッチアイコン５０１ａとタッチアイコン５０１ｂとが上下に近接して配置され、タッチアイコン５０１ｂ〜５０１ｅが左右に並んで配置される。
【００３９】
タッチアイコン５０１ａは、タッチ操作に応じて静止画撮影指示を行うタッチシャッター機能のオン／オフを切替える変更指示を受け付けるための表示アイテムである。タッチアイコン５０１ｂは、シャッター速度の設定値の変更指示を受け付けるための表示アイテムである。タッチアイコン５０１ｃは、絞りの設定値の変更指示を受け付けるための表示アイテムである。タッチアイコン５０１ｄは、露出補正の設定値の変更指示を受け付けるための表示アイテムである。タッチアイコン５０１ｅは、ＩＳＯ感度の設定値の変更指示を受け付けるための表示アイテムである。
【００４０】
図５（ｂ）は、表示部１０３に設定された通常のタッチ反応領域を可視化した状態の一例を示す図である。図５（ｂ）には、通常位置である場合の表示部１０３の上側を矢印で示している。ここでは、タッチ反応領域５０２ａ〜５０２ｅと、タッチＡＦ反応領域５０４ａとが設定されている。
タッチ反応領域５０２ａ〜５０２ｅは、それぞれのタッチアイコン５０１ａ〜５０１ｅの領域に対して重複すると共に、タッチアイコン５０１ａ〜５０１ｅよりも広い範囲に設定される。ユーザがタッチ反応領域５０２ａ〜５０２ｅの何れかの領域をタッチすることで、システム制御部５０はタッチ反応領域５０２ａ〜５０２ｅに対応するタッチアイコン５０１ａ〜５０１ｅに対するタッチ操作を検知する。
【００４１】
ここで、タッチ反応領域５０２ｅを例にして説明する。
タッチ反応領域５０２ｅは、タッチアイコン５０１ｅと重複する範囲にタッチ反応領域が設定される。図５（ｂ）に示すように、タッチアイコン５０１ｅの高さをＨｉとし、タッチ反応領域５０２ｅの高さをＨ１として示している。また、タッチアイコン５０１ｅの上端とタッチ反応領域５０２ｅの上端との間の距離ｄ１として示している。更に、表示部１０３の下端からタッチ反応領域５０２ｅの上端までの距離をＤ１として示している。
【００４２】
次に、タッチＡＦ反応領域５０４ａは、タッチ反応領域５０２ａ〜５０２ｅに隣接し、タッチ反応領域５０２ａ〜５０２ｅを除いたライブビュー画像５００上に設定される。ここでは、タッチアイコン５０１ａがタッチアイコン５０１ｂの上側に配置されていることから、タッチＡＦ反応領域５０４ａはタッチ反応領域５０２ａと重なり合わないように、矩形状の角部が切り欠いた形状である。なお、タッチアイコン５０１ａが配置されていない場合には、タッチＡＦ反応領域５０４ａを矩形状に設定できる。
このように、表示部１０３が通常位置である場合には、タッチ反応領域５０２ａ〜５０２ｅが必要最小限の領域に設定される。換言すると、タッチＡＦ反応領域５０４ａを広めに設定することができる。したがって、ユーザは各タッチアイコンの外側をタッチした場合には、タッチアイコンに対応する機能が実行されるのではなく、ライブビュー画像上のタッチされた位置に対応する機能、ここではタッチされた位置に応じた焦点調整領域が設定される処理が実行される。
【００４３】
図４に戻り、Ｓ４０７〜Ｓ４１６の処理は、表示部１０３が対面位置の場合に、撮影待機画面にタッチアイコンおよびライブビュー画像を表示する処理である。
Ｓ４０７では、システム制御部５０は、表示部１０３に縮小したタッチＡＦ反応領域を設定する。縮小したタッチＡＦ反応領域は、表示部１０３が通常位置である場合に比べて狭い範囲の領域である（後述する図６（ｂ）のタッチＡＦ反応領域５０４ｂ）。
【００４４】
Ｓ４０８では、システム制御部５０は、タッチアイコンのレイアウトを、反転させたレイアウトに設定する。反転させたレイアウトとは、表示部１０３が通常位置である場合のレイアウト（通常のレイアウト）を１８０度回転させたレイアウトである（後述する図６のタッチアイコン５０１ａ〜５０１ｅ）。反転させたレイアウトでは、表示部１０３が対面位置である場合の表示部１０３の上側（通常位置である場合の表示部１０３の下側）に、タッチアイコンの上側が向く方向にタッチアイコンが配置される。反転させたレイアウトにより表示される画像は、表示部１０３が通常位置である場合に比べてライブビュー画像以外の画像全体を単に１８０度回転させた画像である。
【００４５】
したがって、ユーザから見た各タッチアイコンは、表示部１０３が通常位置である場合と対面位置である場合とで同じ表示位置となる。従来技術のように、ユーザがタッチ操作をし易い位置にタッチされるオブジェクトが表示させるために、オブジェクト間の位置関係を異ならせると、ユーザの予想と異なる位置にタッチアイコンが表示され操作しにくい場合がある。本実施形態のように、表示部１０３を回転させて撮影者自身の方向に表示部１０３を向けた場合でも、通常と同じ表示位置にタッチアイコンが表示されることで、ユーザは通常位置の場合と同様に操作することができる。なお、ここでの同じ表示位置とは、ユーザが同じ表示位置であると認識する位置も含まれる。
【００４６】
Ｓ４０９〜Ｓ４１４では、システム制御部５０はタッチ反応領域を設定する処理をタッチアイコンごとに行う。
Ｓ４０９では、システム制御部５０は、タッチアイコンの変数ｉに１を加算して、タッチ反応領域を設定する対象のタッチアイコンを決定する。
【００４７】
Ｓ４１０では、システム制御部５０は、対象のタッチアイコンの周辺に他のタッチアイコンが表示されるか否か、すなわち対象のタッチアイコンの表示範囲から所定範囲内に他のアイコンが配置されるか否かを判定する。対象のタッチアイコンの周辺に他のタッチアイコンが表示されない場合にはＳ４１１に進み、他のタッチアイコンが表示される場合にはＳ４１３に進む。
【００４８】
本実施形態では、対象のタッチアイコンの表示範囲の端部（上下端）から、表示面の面方向のうち回転軸の軸方向と直交する方向（ここでは上下方向）の所定距離内（第１の距離内）に他のタッチアイコンが配置されるか否かを判定する。すなわち、対象のタッチアイコンの表示範囲の端部から、筐体部１０４側と反対側の方向または近い側の方向の第１の距離内に他のタッチアイコンが配置されるか否かを判定する。この判定は、例えば不揮発性メモリ３０９に予め記憶されたタッチアイコンのレイアウト情報に基づいて判定したり、タッチアイコンの識別情報ごとに他のタッチアイコンが表示されるか否かを予め関連付けて記憶した情報に基づいて判定したりすることができる。また、第１の距離は、タッチアイコン５０１ｅの高さＨｉの値あるいは高さＨｉの値よりも小さい値であって、例えば不揮発性メモリ３０９に予め記憶されている。
一方、対象のタッチアイコンの表示範囲から、筐体部１０４側と反対側の方向および近い側の方向に対して直交する方向（ここでは左右方向）の第１の距離内に他のタッチアイコンが配置されるかについては判定されない。したがって、対象のタッチアイコンの表示範囲から左右方向の第１の距離内に他のタッチアイコンが配置されていても、上下方向の第１の距離内に他のタッチアイコンが配置されていない場合には、周辺に他のタッチアイコンが表示されないと判定される。
【００４９】
Ｓ４１１では、システム制御部５０は、対象のタッチアイコンが筐体部１０４付近に配置されるか否かを判定する。
本実施形態では、対象のタッチアイコンの表示範囲の端部（対面位置での下端）から、表示面の面方向のうち回転軸の軸方向と直交する方向（対面位置での下方向）の所定距離内（第２の距離内）に表示部１０３の端部（対面位置での下端）があるか否かを判定する。この判定は、例えば不揮発性メモリ３０９に予め記憶されたタッチアイコンのレイアウト情報に基づいて判定したり、タッチアイコンの識別情報ごとに筐体部１０４付近に配置されるか否かを予め関連付けて記憶した情報に基づいて判定したりすることができる。また、第２の距離は、タッチアイコン５０１ｅの高さＨｉの値あるいは高さＨｉの値よりも小さい値であって、例えば不揮発性メモリ３０９に予め記憶されている。
対象のタッチアイコンが筐体部１０４付近に配置される場合にはＳ４１２に進み、筐体部１０４付近に配置されない場合にはＳ４１３に進む。
【００５０】
Ｓ４１２では、システム制御部５０は、対象のタッチアイコンのタッチ反応領域を、拡大したタッチ反応領域に設定する。拡大したタッチ反応領域とは、表示部１０３が通常位置である場合のタッチ反応領域（通常のタッチ反応領域）よりも広い領域である。より詳しくは、拡大したタッチ反応領域は、通常のタッチ反応領域よりも筐体部１０４の反対側（対面位置での上側）に広い範囲の領域である（後述する図６（ｂ）のタッチ反応領域５０３ｃ〜５０３ｅ）。
【００５１】
一方、Ｓ４１０において対象のタッチアイコンの周辺に他のタッチアイコンが表示されると判定された場合、あるいは、Ｓ４１１において対象のタッチアイコンが筐体部１０４付近に配置されていないと判定された場合にはＳ４１３に進む。
Ｓ４１３では、システム制御部５０は、対象のタッチアイコンのタッチ反応領域を拡大せずに通常のタッチ反応領域に設定する。すなわち、表示部１０３が通常位置である場合のタッチ反応領域よりも筐体部１０４の反対側に広い範囲の領域とせずに、表示部１０３が通常位置である場合のタッチ反応領域と略同一に設定する。
【００５２】
Ｓ４１４では、システム制御部５０は、変数ｉがタッチアイコン数を越えたか否か、すなわち全てのタッチアイコンについてＳ４１０〜Ｓ４１３の処理が終了したか否かを判定する。処理が終了した場合にはＳ４１５に進み、そうではない場合にはＳ４１０に戻り、全てのタッチアイコンについて処理する。
【００５３】
Ｓ４１５では、システム制御部５０は、撮像部３０２により撮影されたライブビュー画像を、表示部１０３が通常位置である場合と比べて上下反転して表示する。ここでは、ライブビュー画像を１８０度回転（すなわち、上下と左右の双方を反転）することなく、上下反転のみとする。したがって、表示部１０３が通常位置である場合と比べて、ユーザが被写体側から表示部１０３を見たときにライブビュー画像がミラー反転（鏡像反転）した向きで表示される。このように、ライブビュー画像をミラー反転した向きで表示することで、被写体側から視認しているユーザがライブビュー画像に写る自分自身のポーズ等を決めやすくすることができる。
Ｓ４１６では、システム制御部５０は、Ｓ４０８において設定されたレイアウトに基づいてタッチアイコンを表示部１０３に表示する。すなわち、システム制御部５０は、表示部１０３が通常位置である場合のレイアウト（通常のレイアウト）を１８０度回転させたレイアウトでタッチアイコンを表示部１０３に表示する。
【００５４】
図６は、表示部１０３が反転位置である場合の撮影待機画面の一例を示す図である。
図６（ａ）は、Ｓ４１６の処理が終了した後に表示部１０３に表示される撮影待機画面の一例を示す図である。
図６（ａ）に示す撮影待機画面には、ライブビュー画像６００と、タッチアイコン５０１ａ〜５０１ｅとが表示される。なお、図６（ａ）と図５（ａ）とに表示されるタッチアイコンは同一であり、同一符号を付している。
【００５５】
図６（ａ）に示す撮影待機画面は、図５（ａ）に示すライブビュー画像５００と比べて、ミラー反転した向きでライブビュー画像６００が表示される。また、設定された反転のレイアウトに基づいてタッチアイコン５０１ａ〜５０１ｅが配置される。すなわち、図６（ａ）に示すタッチアイコン５０１ａ〜５０１ｅと、図５（ａ）に示すタッチアイコン５０１ａ〜５０１ｅとで同じ表示位置に表示されるために、ユーザは表示部１０３が通常位置である場合と同様に操作することができる。
【００５６】
図６（ｂ）は、表示部１０３に設定された拡大したタッチ反応領域を可視化した状態の一例を示す図である。図６（ｂ）には、通常位置である場合の表示部１０３の上側を矢印で示している。ここでは、タッチ反応領域５０３ａ〜５０３ｅと、タッチＡＦ反応領域５０４ｂとが設定されている。
タッチ反応領域５０３ａ〜５０３ｅは、それぞれのタッチアイコン５０１ａ〜５０１ｅの領域に対して重複すると共に、タッチアイコン５０１ａ〜５０１ｅよりも広い範囲に設定される。
【００５７】
ここで、タッチ反応領域５０３ａ〜５０３ｅのうち、タッチ反応領域５０３ｃ、５０３ｄ、５０３ｅは、表示部１０３が通常位置の場合である図５（ｂ）に示すタッチ反応領域５０２ｃ、５０２ｄ、５０２ｅよりも広いタッチ反応領域である。具体的には、タッチ反応領域５０３ｃ、５０３ｄ、５０３ｅは、表示部１０３が通常位置の場合である図５（ｂ）に示すタッチ反応領域５０２ｃ、５０２ｄ、５０２ｅよりも、筐体部１０４と反対側に広い範囲の領域である。すなわち、タッチ反応領域５０３ｃ、５０３ｄ、５０３ｅは、表示部１０３が対面位置である場合の表示部１０３の上側（通常位置である場合の表示部１０３の下側）に拡大している。このようにタッチ反応領域が拡大するのは、対応するタッチアイコン５０１ｃ、５０１ｄ、５０１ｅが、周辺に他のタッチアイコンが表示されておらず（Ｓ４１０をＮｏ）、更に、筐体部１０４付近に配置される（Ｓ４１１をＹｅｓ）という条件を満たすためである。すなわち、Ｓ４１１をＹｅｓに進み、拡大したタッチ反応領域に設定されるためである。
【００５８】
ここで、タッチ反応領域５０３ｅを例にして説明する。
タッチ反応領域５０３ｅは、図５（ｂ）に示すタッチ反応領域５０２ｅの領域に加えて、筐体部１０４と反対側に広くタッチ反応領域が設定される。図６（ｂ）に示すように、タッチアイコン５０１ｅの高さをＨｉとし、タッチ反応領域５０３ｅの高さをＨ２として示している。また、タッチアイコン５０１ｅの上端とタッチ反応領域５０３ｅの上端との間の距離ｄ２として示している。更に、表示部１０３の下端（通常位置での上端）からタッチ反応領域５０３ｅの上端までの距離をＤ２として示している。
【００５９】
図５（ｂ）でのタッチ反応領域５０２ｅと、図６（ｂ）のタッチ反応領域５０３ｅとを比較する。なお、図５（ｂ）および図６（ｂ）において、それぞれタッチアイコン５０１ｅは同じ表示位置であり、それぞれタッチアイコン５０１ｅの高さＨｉは同一である。
ここで、タッチ反応領域５０２ｅの高さＨ１と、タッチ反応領域５０３ｅの高さＨ２との関係は、Ｈ１＜Ｈ２である。また、タッチアイコン５０１ｅの上端とタッチ反応領域５０２ｅの上端との間の距離ｄ１と、タッチアイコン５０１ｅの上端とタッチ反応領域５０３ｅの上端との間の距離ｄ２との関係は、ｄ１＜ｄ２である。また、表示部１０３の下端からタッチ反応領域５０２ｅの上端までの距離Ｄ１と、表示部１０３の下端（通常位置での上端）からタッチ反応領域５０３ｅの上端までの距離Ｄ２との関係は、Ｄ１＜Ｄ２である。
【００６０】
このように、表示部１０３が対面位置である場合のタッチ反応領域５０３ｅは、表示部１０３が通常位置である場合のタッチ反応領域５０２ｅよりも筐体部１０４と反対側に広く設定される。なお、タッチ反応領域５０３ｅに限られず、タッチ反応領域５０３ｃ、５０３ｄについても同様に設定される。
【００６１】
一方、タッチ反応領域５０３ａ〜５０３ｅのうち、タッチ反応領域５０３ａ、５０３ｂは、表示部１０３が通常位置の場合である図５（ｂ）に示すタッチ反応領域５０２ａ、５０２ｂと同じタッチ反応領域である。このようにタッチ反応領域が同じであるのは、対応するタッチアイコン５０１ａ、５０１ｂが、周辺に他のタッチアイコンが表示されており（Ｓ４１０をＹｅｓ）、通常のタッチ反応領域に設定されるためである。
【００６２】
次に、タッチＡＦ反応領域５０４ｂは、タッチ反応領域５０３ａ〜５０３ｅに隣接し、タッチ反応領域５０３ａ〜５０３ｅを除いたライブビュー画像６００上に設定される。ここでは、図５（ｂ）に比べて、タッチ反応領域５０３ｃ〜５０３ｅが広くなった分だけ、タッチ反応領域５０３ｃ〜５０３ｅと重ならないように縮小して設定される。なお、タッチ反応領域５０３ａは広くなっていないので、タッチＡＦ反応領域５０４ｂのうちタッチ反応領域５０３ａの上側の領域は図５（ｂ）に比べて縮小されていない。
【００６３】
このように、表示部１０３が対面位置である場合には、タッチアイコンのタッチ反応領域を広げる。したがって、ユーザは、筐体部１０４と干渉してしまいタッチ操作しにくいタッチアイコンであっても、タッチ反応領域が広がったことにより、表示部１０３へのタッチ操作の操作性を向上させることができる。また、周辺に他のタッチアイコンが配置されておらず、筐体部１０４付近に配置されたタッチアイコンだけを対象としてタッチ反応領域を広げることで、タッチＡＦ反応領域の縮小を最小限に抑制することができる。また、表示部１０３が通常位置である場合と反転位置である場合とで、タッチアイコンは同じ表示位置であることからユーザによるタッチアイコンに対するタッチ操作の操作性を向上させることができる。
【００６４】
図４のフローチャートに戻り、Ｓ４１７以降の処理について説明する。
Ｓ４１７では、システム制御部５０は、表示部１０３に対するタッチダウンを検知したか否かを判定する。タッチダウンを検知した場合にはＳ４１８に進み、タッチダウンを検知していない場合にはＳ４０１に戻る。
Ｓ４１８では、システム制御部５０は、タッチダウンの位置がタッチアイコンに対応するタッチ反応領域であるか否かを判定する。タッチアイコンに対応するタッチ反応領域である場合にはＳ４１９に進み、そうではない場合にはＳ４２０に進む。
【００６５】
Ｓ４１９では、システム制御部５０は、タッチ反応領域に対応するタッチアイコンに応じた機能が実行する。
図７は、図５（ａ）に示す撮影待機画面からタッチアイコン５０１ｅのタッチ反応領域５０２ｅをタッチダウンした場合に遷移して表示される遷移画面の一例を示す図である。
遷移画面７００には、図５（ａ）に示すライブビュー画像５００と、設定項目７０１ｅとが表示される。なお、タッチアイコン５０１ｅは、ＩＳＯ感度の設定値の変更指示を受け付けるためのタッチアイコンであるために、設定項目７０１ｅはＩＳＯ感度の設定値が表示される。システム制御部５０は、ユーザによりタッチされた設定項目７０１ｅに対応する設定値をＩＳＯ感度に設定する。ここでは、タッチアイコン５０１ａがタッチされた場合に表示される遷移画面について説明したが、この場合に限られず、タッチアイコン５０１ａ〜５０１ｄについてもそれぞれに応じた機能が実行される。また、図６（ａ）に示す撮影待機画面からタッチアイコン５０１ｅのタッチ反応領域５０３ｅがタッチダウンされた場合には、図６（ａ）に示すライブビュー画像６００が表示される。その後、Ｓ４０１に戻る。
【００６６】
Ｓ４２０では、システム制御部５０は、タッチＡＦ反応領域内でタッチされた位置に応じた焦点調整を行うことができる画面に遷移する。このとき、システム制御部５０は、表示していたタッチアイコンを非表示にして、新たなタッチアイコンを表示する。
Ｓ４２１では、システム制御部５０は、非表示にしたタッチアイコンに対応するタッチ反応領域の設定を解除して、新たに表示したタッチアイコンに対応するタッチ反応領域を設定する。また、システム制御部５０は、拡大したタッチＡＦ反応領域を設定する。拡大したタッチＡＦ反応領域は、表示部１０３が通常位置である場合のタッチＡＦ反応領域よりも広い範囲の領域であり、表示部１０３が対面位置である場合のタッチＡＦ反応領域のよりも広い範囲の領域である。
【００６７】
図８（ａ）は、ＡＦ方式として顔追尾優先ＡＦモードが設定されている場合に、図５（ｂ）に示すタッチＡＦ反応領域５０４ａのうちライブビュー画像５００の被写体、ここでは人物の顔にタッチダウンしたときの遷移画面８００ａの一例を示す図である。
遷移画面８００ａには、図５（ａ）に示すライブビュー画像５００と、戻るアイコン８０１ａと、顔追尾枠８１０とが表示される。戻るアイコン８０１ａは、遷移前の画面に戻るときにタッチするタッチアイコンである。顔追尾枠８１０は、人物の顔を追尾していることをユーザに把握させるための表示アイテムである。顔追尾枠８１０は、人物の顔の移動に応じて追従して表示される。
なお、図６（ｂ）に示すタッチＡＦ反応領域５０４ｂがタッチダウンされた場合には、図６（ａ）に示すライブビュー画像６００が表示される。ここでは、タッチアイコン５０１ａ〜５０１ｅに対応するタッチ反応領域５０２ａ〜５０２ｅあるいはタッチ反応領域５０３ａ〜５０３ｅの設定が解除される。
【００６８】
図８（ｂ）は、ＡＦ方式として１点ＡＦモードが設定されている場合に、図５（ｂ）に示すタッチＡＦ反応領域５０４ａにタッチダウンしたときの遷移画面８００ｂの一例を示す図である。
遷移画面８００ｂには、図５（ａ）に示すライブビュー画像５００と、戻るアイコン８０１ａと、１点ＡＦ枠８２０とが表示される。１点ＡＦ枠８２０は、焦点調整を行う位置をユーザに認識させるための表示アイテムである。
なお、図６（ｂ）に示すタッチＡＦ反応領域５０４ｂがタッチダウンされた場合には、図６（ａ）に示すライブビュー画像６００が表示される。ここでは、タッチアイコン５０１ａ〜５０１ｅに対応するタッチ反応領域５０２ａ〜５０２ｅあるいはタッチ反応領域５０３ａ〜５０３ｅの設定が解除される。
【００６９】
図８（ｃ）は、表示部１０３に設定される拡大したタッチ反応領域を可視化した状態の一例を示す図である。ここでは、戻るアイコン８０１ａに対応するタッチ反応領域８０２ａと、タッチＡＦ反応領域５０４ｃとが設定されている。
タッチ反応領域８０２ａは、戻るアイコン８０１ａの領域に対して重複すると共に、戻るアイコン８０１ａよりも広い範囲に設定される。ここで、タッチ反応領域８０２ａの高さをＨ３とすると、図６（ｂ）のタッチ反応領域５０３ｅの高さＨ２との関係は、Ｈ３＜Ｈ２である。
タッチＡＦ反応領域５０４ｃは、タッチ反応領域８０２ａを除いたライブビュー画像５００あるいはライブビュー画像６００上に設定される。ここでは、タッチ反応領域８０２ａの高さＨ３が、タッチ反応領域５０３ｅの高さＨ２よりも縮小した分、タッチＡＦ反応領域５０４ｃは、図６（ｂ）のタッチＡＦ反応領域５０４ｂよりも拡大している。
【００７０】
また、タッチ反応領域５０２ａ〜５０２ｅあるいはタッチ反応領域５０３ａ〜５０３ｅの設定が解除されたことから、タッチＡＦ反応領域５０４ｃは、図５（ｂ）のタッチＡＦ反応領域５０４ａおよび図６（ｂ）のタッチＡＦ反応領域５０４ｂよりも拡大している。ここでは、タッチＡＦ反応領域５０４ｃは、図６（ｂ）のタッチ反応領域５０３ａ〜５０３ｅの一部が重複する範囲まで拡大している。具体的には、ライブビュー画像５００のうち車両のタイヤにまでタッチＡＦ反応領域５０４ｃが拡大している。したがって、図６（ｂ）のタッチＡＦ反応領域５０４ｂのままでは、ユーザは車両のタイヤを焦点調整の位置として指定できないが、図８（ｃ）のようにタッチＡＦ反応領域５０４ｃを拡大することで、車両のタイヤを焦点調整の位置として指定することができる。
【００７１】
図４のフローチャートに戻り、Ｓ４２２以降の処理について説明する。
Ｓ４２２では、システム制御部５０はタッチＡＦ反応領域にタッチダウンされた状態からタッチムーブを検知したか否かを判定する。検知した場合にはＳ４２３に進み、そうではない場合にはＳ４２４に進む。
Ｓ４２３では、システム制御部５０は、タッチムーブした位置にＡＦ枠を移動させて表示する。したがって、例えば、図８（ｂ）の１点ＡＦ枠８２０の位置から図８（ｃ）に示す１点ＡＦ枠８２０の位置に移動して表示される。ここでは、タッチＡＦ反応領域が拡大していることから、ＡＦ枠を広い範囲に移動させることができる。
【００７２】
Ｓ４２４では、システム制御部５０は、タッチアップを検知したか否かを判定する。検知した場合にはＳ４２５に進み、そうではない場合にはＳ４２２に戻る。
Ｓ４２５では、システム制御部５０は、タッチＡＦ反応領域でタッチダウンを検知したか否かを判定する。検知した場合にはＳ４２３に進み、そうではない場合にはＳ４２６に進む。
Ｓ４２６では、システム制御部５０は、戻るアイコンのタッチを検知したか否かを判定する。検知した場合にはＳ４０１に戻り、上述したＳ４０１以降の処理を繰り返し、そうではない場合にはＳ４２５に戻る。
【００７３】
なお、図６（ｂ）に示すように表示部１０３が対面位置である場合、タッチアイコン５０１ａ、５０１ｂのタッチ反応領域５０３ａ、５０３ｂよりも、タッチアイコン５０１ｃ、５０１ｄ、５０１ｅのタッチ反応領域５０３ｃ、５０３ｄ、５０３ｅの方が広い。このような違いは、タッチアイコン５０１ａ、５０１ｂが互いに上下方向の所定距離内に存在し、Ｓ４１０において周辺に他のタッチアイコンが表示されるという条件を満たすためである。
ここで、タッチアイコン５０１ａ、５０１ｂの位置に表示されるタッチアイコンよりもタッチアイコン５０１ｃ、５０１ｄ、５０１ｅの位置に表示されるタッチアイコンの方が操作しやすい。したがって、タッチアイコン５０１ａ、５０１ｂよりも、タッチアイコン５０１ｃ、５０１ｄ、５０１ｅに、重要な機能のタッチアイコンを配置することが好ましい。重要な機能が動作モードによって異なる場合には、設定された動作モードに応じてタッチアイコンの配置を変更し、設定されている動作モードにおいて重要な機能のタッチアイコンを、タッチアイコン５０１ｃ、５０１ｄ、５０１ｅの位置に配置する。一方、タッチアイコン５０１ａ、５０１ｂの位置には重量度がより低い機能のタッチアイコンを配置することが好ましい。
【００７４】
ここでは、シャッター速度優先モードと絞り優先モードとを例にして説明する。
シャッター速度優先モードとは、シャッター速度をユーザが設定し、絞りは設定されたシャッター速度に応じて自動的に決定されるモードである。シャッター速度優先モードは、第１の動作モードの一例に対応する。
絞り優先モードとは、絞りの設定値をユーザが設定し、シャッター速度は設定された絞りの設定値に応じて自動的に決定されるモードである。絞り優先モードは、第２の動作モードの一例に対応する。
【００７５】
シャッター速度優先モードでは、シャッター速度の変更指示を受け付けるためのタッチアイコンを、タッチアイコン５０１ｃ、５０１ｄ、５０１ｅの何れかの位置に配置する。一方、絞りの設定値の変更指示を受け付けるためのタッチアイコンや、タッチ操作に応じてタッチシャッター機能のオン／オフを切替える変更指示を受け付けるためのタッチアイコンを、タッチアイコン５０１ａ、５０１ｂの位置に配置する。
一方、絞り優先モードでは、絞りの設定値の変更指示を受け付けるためのタッチアイコンを、タッチアイコン５０１ｃ、５０１ｄ、５０１ｅの何れかの位置に配置する。一方、シャッター速度の設定値の変更指示を受け付けるためのタッチアイコンや、タッチ操作に応じてタッチシャッター機能のオン／オフを切替える変更指示を受け付けるためのタッチアイコンを、タッチアイコン５０１ａ、５０１ｂの位置に配置する。なお、図５（ａ）および図６（ａ）の表示例は、絞り優先モードに設定されている場合の表示例である。絞りの設定値の変更指示を受け付けるためのタッチアイコンは、タッチアイコン５０１ｃである。また、タッチシャッター機能のオン／オフを切替える変更指示を受け付けるためのタッチアイコンは、タッチアイコン５０１ａである。また、シャッター速度の変更指示を受け付けるためのタッチアイコンは、タッチアイコン５０１ｂである。
【００７６】
このように、表示部１０３が対面位置である場合にタッチ反応領域が広くなるタッチアイコンに、重要な機能のタッチアイコンを配置することでタッチ操作の操作性を、より向上させることができる。また、重要な機能が動作モードによって異なる場合、表示部１０３が対面位置である場合にタッチ反応領域が広くなるタッチアイコンに、設定された動作モードにおいて重要な機能のタッチアイコンを配置する。このようにタッチアイコンを配置することでタッチ操作の操作性を、更に向上させることができる。
【００７７】
（他の実施形態）
本発明は、以下の処理を実行することによっても実現される。すなわち、上述した実施形態の機能を実現するプログラムをネットワークまたは各種記録媒体を介してシステムまたは装置に供給し、そのシステムまたは装置のコンピュータ（ＣＰＵやＭＰＵ等）がプログラムコードを読み出して実行する処理である。この場合、該プログラムおよび該プログラムを格納した記録媒体は本発明を構成する。
【００７８】
以上、本発明を種々の実施形態と共に説明したが、本発明はこれらの実施形態にのみ限定されるものではなく、本発明の範囲内で変更等が可能であり、上述した実施形態を適時組み合わせてもよい。
上述した実施形態では、タッチアイコンの領域に対して重複するようにタッチ反応領域を設定する場合について説明したが、この場合に限られず、タッチ反応領域と少なくとも一部が重複するようにタッチ反応領域を設定してもよい。
また、上述した実施形態では、図１に示すように、モニタ部１０１が矩形の上端の一辺を回転軸としてヒンジ部１０５を介して回転する場合について説明したが、この場合に限られず、下端、右端または左端の一辺を回転軸として回転可能であってもよい。また、バリアングル式であってもよい。
なお、システム制御部５０が行うものとして説明した上述の各種制御は１つのハードウェアが行ってもよいし、複数のハードウェア（例えば、複数のプロセッサーや回路）が処理を分担することで、装置全体の制御を行ってもよい。
【００７９】
また、上述した実施形態では、本発明を撮像装置に適用する場合について説明したが、この場合に限られず、筐体部に対する位置関係を変更可能な表示部へのタッチ操作を検知でき、アイコンに対してタッチ反応領域を設定できる装置であれば適用可能である。すなわち、本発明は、スマートフォン、タブレットＰＣ、携帯型のパーソナルコンピュータ、ＰＤＡ、携帯型の画像ビューワ、デジタルフォトフレーム、音楽プレーヤー、ゲーム機、電子ブックリーダ等に適用可能である。
【００８０】
また、上述した実施形態では、本発明を撮像装置本体に適用する場合について説明したが、この場合に限られず、有線または無線通信を介して撮像装置（ネットワークカメラを含む）と通信し、撮像装置を遠隔で制御する制御装置にも適用可能である。撮像装置を遠隔で制御する装置としては、例えば、スマートフォン、タブレットＰＣ、デスクトップＰＣ等の装置である。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【符号の説明】
【００８１】
１００：カメラ  １０１：モニタ部  １０２：本体部  １０３：表示部  １０４：筐体部  １１２：タッチパネル  ５０：システム制御部  ３１９：回転検知部
【図１】
2020161869.tif 000003
【図２】
2020161869.tif 000004
【図３】
2020161869.tif 000005
【図４】
2020161869.tif 000006
【図５】
2020161869.tif 000007
【図６】
2020161869.tif 000008
【図７】
2020161869.tif 000009
【図８】
2020161869.tif 000010